(57)【特許請求の範囲】
【請求項１】
無線通信システムにおいてソフトハンドオフを行うための方法であって、
移動局から第１逆方向リンク及び第２逆方向リンクの各々を介して複数のフレームを受信する段階と、
前記第１逆方向リンクを介して受信された複数のフレームに基づき、第１逆方向リンク品質尺度を決定する段階であって、第１逆方向リンク品質尺度の決定は、前記第１逆方向リンクを介して受信された複数のフレームに関する品質指数に基づいて、第１フレーム数量を決定することからなる段階と、
前記第２逆方向リンクを介して受信された複数のフレームに基づき、第２逆方向リンク品質尺度を決定する段階であって、第２逆方向リンク品質尺度の決定は、前記第２逆方向リンクを介して受信された複数のフレームに関する品質指数に基づいて、第２フレーム数量を決定することからなる段階と、
前記第１逆方向リンクを含む通信リンクの順方向リンクの測定値に基づいて生成された、同通信リンクを削除せよという要求を、前記移動局から受信する段階と、
前記第１フレーム数量と第２フレーム数量とを比較して、比較値としての数量差異を生成する段階と、
前記要求を受信することに応答して、前記数量差異に基づいて前記通信リンクを削除するか否かを判断する段階と、を備え、
前記通信リンクを削除するか否かの判断は、
前記数量差異がしきい値を超えている場合に前記通信リンクを削除すると決定し、
前記数量差異がしきい値より小さい場合には前記通信リンクを維持すると決定する、ことを含む方法。
【請求項２】
請求項１に記載の方法であって、
前記第１逆方向リンク品質尺度には、前記第１逆方向リンクを介して許容可能な状態で受信された第１フレーム数量が含まれ、
前記第２逆方向リンク品質尺度には、前記第２逆方向リンクを介して許容可能な状態で受信された第２フレーム数量が含まれる、方法。
【請求項３】
請求項１に記載の方法であって、
前記第１逆方向リンク品質尺度には、前記第１逆方向リンクを介して誤って受信された第１フレーム数量が含まれ、
前記第２逆方向リンク品質尺度には、前記第２逆方向リンクを介して誤って受信された第２フレーム数量が含まれる、方法。
【請求項４】
請求項１に記載の方法であって、
前記複数のフレームには、第１の複数フレームが含まれ、
前記比較値には、第１比較値が含まれ、
前記通信リンクを削除するか否かを判断する段階には、前記第１比較値に基づき、前記通信リンクを削除しないと決定する段階が含まれ、
前記方法には、更に、
前記通信リンクを削除しないという決定に続き、前記第１逆方向リンク及び前記第２逆方向リンクの各々を介して、第２の複数フレームを受信する段階と、
前記第１逆方向リンクを介して受信された前記第２の複数フレームに基づき、第３逆方向リンク品質尺度を決定する段階と、
前記第２逆方向リンクを介して受信された前記第２の複数フレームに基づき、第４逆方向リンク品質尺度を決定する段階と、
前記第３逆方向リンク品質尺度と前記第４逆方向リンク品質尺度を比較して、第２比較値を生成する段階と、
前記通信リンクを削除しないという前記決定に続き、前記移動局から通信リンクを削除せよという要求を受信せずに、前記第２比較値に基づき、前記通信リンクを削除すべきかどうか判断する段階と、
が含まれる方法。
【請求項５】
無線通信システムにおいてソフトハンドオフを行うための方法であって、
逆方向リンクを介して、移動局から第１の複数のフレームを受信する段階と、
前記第１の複数のフレームに基づいて第１逆方向リンク品質尺度を決定する段階と、
前記逆方向リンクを含む通信リンクの順方向リンクの測定値を基に生成された、同通信リンクを削除せよという要求を、前記移動局から受信する段階と、
前記第１逆方向リンク品質尺度としきい値とを比較して、第１の比較値を生成する段階と、
前記要求を受信することに応答して、前記第１の比較値に基づいて前記通信リンクを削除しないと決定する段階と、
前記通信リンクを削除しないという決定の後に、前記通信リンクの削除／不削除の希望を示す削除／不削除のメッセージを送るよう、インフラ装置によって移動局を督促する段階と、
同督促に応答して、削除／不削除のメッセージを移動局から受信する段階と、からなり、
同削除／不削除のメッセージが、前記通信リンクを削除する希望を表示する場合は、
前記逆方向リンクを介して受信される第２の複数のフレームについての第２逆方向リンク品質尺度を決定し、
第２逆方向リンク品質尺度と前記しきい値とを比較して、第２の比較値を生成し、
前記第２の比較値に基づいて前記通信リンクを削除するか否かを決定する、方法。
【請求項６】
無線インフラにおいて、ソフトハンドオフを行うためのプロセッサを有する装置であって、前記プロセッサは、
第１逆方向リンク及び第２逆方向リンクの各々を介して、移動局から複数のフレームを受信する手順と、
前記第１逆方向リンクを介して受信された複数のフレームに基づき第１逆方向リンク品質尺度を決定する手順であって、第１逆方向リンク品質尺度の決定が、前記第１逆方向リンクを介して受信された複数のフレームに関する品質指数に基づいて第１フレーム数量を決定することを含む、前記手順と、
前記第２逆方向リンクを介して受信された複数のフレームに基づき第２逆方向リンク品質尺度を決定する手順であって、第２逆方向リンク品質尺度の決定が、前記第２逆方向リンクを介して受信された複数のフレームに関する品質指数に基づいて第２フレーム数量を決定することを含む、前記手順と、
前記第１フレーム数量と前記第２フレーム数量とを比較して、数量差異を生成する手順と、
前記第１逆方向リンクを含む通信リンクの順方向リンクの測定値に基づいて生成された、同通信リンクを削除せよという要求を、前記移動局から受信する手順と、
前記要求を受信することに応答して、前記数量差異に基づいて前記通信リンクを削除すべきか否かを判断する手順と、を実行するように構成され、
前記通信リンクを削除するか否かの判断は、
前記数量差異がしきい値を超えている場合に前記通信リンクを削除すると決定し、
前記数量差異がしきい値より小さい場合には前記通信リンクを維持すると決定する、ことを含む装置。
【請求項７】
無線インフラにおいて、ソフトハンドオフを行うための装置であって、
１つ以上のメモリデバイスと、
前記１つ以上のメモリデバイスに接続されたプロセッサと、を備え、該プロセッサは、
逆方向リンクを介して、移動局から第１の複数のフレームを受信し、
第１の複数のフレームに関する品質指数を前記１つ以上のメモリデバイスに記憶し、
前記記憶された品質指数に基づき、第１の逆方向リンク品質尺度を決定し、
前記第１の逆方向リンク品質尺度としきい値と比較して、第１の比較値を生成し、
移動局から、前記逆方向リンクを含む通信リンクの順方向リンクの測定値に基づいて生成された、同通信リンクを削除せよという要求を受信し、
前記要求を受信することに応答して、前記第１の比較値に基づいて前記通信リンクを削除するか否か判断して、前記通信リンクを削除しないと決定すると、前記通信リンクの削除／不削除を示す削除／不削除のメッセージを送るよう移動局を督促し、
同督促に応答して、削除／不削除のメッセージを移動局から受信して、
前記逆方向リンクを介して受信される第２の複数のフレームに関する第２の逆方向リンク品質尺度を決定し、
前記第２の逆方向リンク品質尺度と前記しきい値とを比較して、第２の比較値を生成し、
前記第２の比較値に基づき、前記通信リンクを削除すべきかどうか判断するように構成される、装置。
【請求項８】
請求項７に記載の装置であって、
前記装置は、基地局コントローラ、中央基地局コントローラ、及び選択・分配ユニットの内の少なくとも１つである装置。
【発明の詳細な説明】
【技術分野】
【０００１】
本発明は、一般的に、無線通信システムに関し、特に、無線通信システムにおけるソフトハンドオフに関する。
【背景技術】
【０００２】
無線通信システムは良く知られており、陸上移動無線、(アナログセル方式、デジタル
セル方式、パーソナル通信システム(ＰＣＳ)及び広帯域デジタルセル方式システムを含む)セル方式無線電話を含む多くのタイプ、及び他の通信システムタイプから構成される。
セル方式無線電話通信システムでは、例えば、通常、多数の通信セルは、１つ以上の基地局コントローラ(ＢＣＳ)又は中央基地局コントローラ(ＣＢＣＳ)に接続され、基地局サブシステム(ＢＳＳ)を形成する１つ以上の送受信基地局(ＢＴＳ)からなる。そして、ＢＳＣ又はCＢＳＣは、移動体交換センタ(ＭＳＣ)に接続され、移動体交換センタ(ＭＳＣ)は、
ＢＳＳと公衆交換電話網(ＰＴＳＮ)等の外部ネットワークとの間の接続及び他のＢＳＳへの相互接続を提供する。各ＢＴＳは、ＭＳに信号を送信するための順方向リンクと、ＭＳから信号を受信するための逆方向リンクとが含まれる通信資源を介してＢＴＳによってサービスが提供される有効範囲領域に配置された移動局(ＭＳ)に通信サービスを提供する。
【０００３】
無線通信システムにとって基本的なことは、有効範囲領域内及び有効範囲領域間をＭＳが移動する間、確立された通信接続を維持する能力である。確立された通信接続を維持するために、ソフトハンドオフ手法が符号分割多元接続(ＣＤＭＡ)通信システム用に開発されており、これによって、ＭＳは、多数のＢＴＳと同時能動通信を行う。ＭＳと能動通信状態にある各ＢＴＳはＭＳの能動集合の一員であり、搬送トラフィックをＭＳに送信し、また、ＭＳから搬送トラフィックを受信する。ＭＳが通信システム内を移動するにつれて、ＭＳが常に少なくとも１つのＢＴＳと確実に通信状態にあるように、ＢＴＳは、ＭＳの能動集合に追加されたり、ＭＳの能動集合から削除されたりする。
【０００４】
例えば図1は、従来技術のＣＤＭＡ無線通信システム１００のブロック図である。通信
システム１００には、ＢＳＳ１０４が含まれ、ＢＳＳ１０４には、各々CＢＳＣ１１０に
接続された多数のＢＴＳ１０６乃至１０８が含まれる。ＢＳＳ１０４は、ＭＳＣ１１４に接続され、そして、ＭＳＣ１１４は、外部ネットワーク１１６に接続され、外部ネットワーク又は他のＢＳＳとＢＳＳ１０４との間に通信リンクを提供する。更に、通信システム１００には、ＭＳ１０２が含まれ、ＭＳ１０２は、ＢＴＳ１０６及び１０７各々と同時に能動通信状態にある。即ち、ＭＳ１０２は、ＢＴＳ１０６及び１０７各々とソフトハンドオフ状態にあり、ＢＴＳ１０６及びＢＴＳ１０７は、各々、ＭＳ１０２の能動集合の一員である。ＭＳ１０２の能動集合の一員として、ＢＴＳ１０６及び１０７の各ＢＴＳは、ＭＳとのそれぞれの無線通信リンク１２０，１３０を同時に維持する。各通信リンク１２０，１３０には、信号をＭＳ１０２に伝えるためのそれぞれの順方向リンク１２２，１３２と、信号をＭＳから受信するためのそれぞれの逆方向リンク１２４、１３４と、が含まれる。
【０００５】
ＭＳ１０２の能動集合における各ＢＴＳ１０６、107は、ＭＳに同じ搬送トラフィック
を伝え、ＭＳから同じ搬送トラフィックを受信する。ＭＳ１０２に同じ信号を同時に伝え、ＭＳ１０２から同じ信号を受信する多数のＢＴＳを提供することによって、通信システム１００は、ＭＳが、ＢＳＳ１０４から許容可能な品質の信号を受信するという可能性と、ＢＳＳが、ＭＳから許容可能な品質の信号を受信するという可能性とを高める。例えば、ＢＴＳ１０６及び１０７の各ＢＴＳが、ＭＳ１０２から同じフレームを受信する場合、ＢＴＳは、受信フレームが、許容可能か又は誤っているかどうか判断し、そのフレームと
、そのフレームが許容可能であるか、即ち、良いか、又は、誤っているか、即ち、消去されるかどうかを示す添付の指数とをCＢＳＣ１１０に転送する。そして、CＢＳＣ１１０、具体的には、CＢＳＣに含まれる選択・分配ユニット(ＳＤＵ)１１２は、ＢＴＳ１０６及
び107から受信されたバージョンの中から１つのバージョンの受信フレームを選択し、選
択したバージョンをＭＳＣ114に転送する。
【０００６】
ＭＳ１０２がＢＴＳ１０８に関連した有効範囲領域、即ち、セクタに向かうにつれて、ＢＴＳ１０８に関連した順方向リンク142を介して、ＢＴＳ１０８からＭＳ１０２によっ
て受信されたパイロット信号の信号強度は、ＭＳ１０２が、存立可能な通信リンクとしてＢＴＳ１０８からのパイロット信号を識別するまで増大する。更に、ＢＴＳ１０６に関連した有効範囲領域、即ち、セクタからＭＳ１０２が離れるにつれて、順方向リンク122を
介して、ＢＴＳ１０６からＭＳ１０２によって受信されたパイロット信号の信号強度は、通信リンク120がもはや存立可能な通信リンクではないとＭＳ１０２が判断する点まで劣
化し得る。そして、ＭＳ１０２は、通信システム１００がＭＳの能動集合にＢＴＳ１０８を付加するように、即ち、ＭＳ１０２との間でデータの送受信を行うための能動通信リンクとして、順方向リンク142及び逆方向リンク144を含む、ＢＴＳ１０８に関連した通信リンク140を確立するように、また、能動集合からＢＴＳ１０６を削除するように、即ち、
通信リンク120を終了するように要求する。通常、ＢＴＳを削除する要求は、パイロット
強度測定メッセージ(PSMM)を介してＭＳ１０２によって伝達される。PSMMメッセージを受信すると、ＢＳＳ１０４は、ＭＳ１０２の能動集合からＢＴＳ１０６を削除し、ＭＳ１０２とＢＴＳ１０６との間における通信リンク120を終了、即ち、削除する。
能動集合から通信リンク１２０，１３０，１４０及び対応するＢＴＳ１０６、107、108を付加又は削除するという決定は、順方向リンク測定、即ち、対応する順方向リンクを介して、ＭＳ１０２等のＭＳによって受信されたパイロット信号の信号強度の測定に基づく。即ち、付加及び／又は削除決定を行う際、通信システム１００は、順方向リンク１２２、１３２、１４２の性能が、実質的に対応する逆方向リンク124、134、及び144の性能と
同じであると仮定する。しかしながら、順方向リンク１２２、１３２、１４２等の順方向リンクの性能と、対応する逆方向リンク、即ち、それぞれの逆方向リンク124、134、及び144の性能との間に不均衡が存在する場合、問題が生じる。例えば、ＢＴＳによってサー
ビスが提供されるセクタは、逆方向リンクに特有の干渉を受けることがあり、あるいは、セクタにおける順方向リンク及び逆方向リンクの各々に関連した伝搬経路やフェージングは、順方向と逆方向リンクとの間における周波数帯域分離のために異なることがある。その結果、弱い順方向リンクのために、強い逆方向リンクとの通信リンクが削除されることがある。通信リンク120の逆方向リンク124等の削除された通信リンクの逆方向リンクが、逆方向リンク124及び134等のＭＳよって利用される複数の逆方向リンクにおける唯一の良好な逆方向リンクである場合、通信リンクを削除すると、通話が削除される可能性がある。
【発明の開示】
【発明が解決しようとする課題】
【０００７】
従って、ソフトハンドオフの一部として、通信リンクが終了されない、即ち、削除されないことを、良好な逆方向リンクがこれによって削除されようとしていないことを通信システムが確認し得る時まで保証する必要がある。
【課題を解決するための手段】
【０００８】
ソフトハンドオフの一部として、通信リンクが終了されない、即ち、削除されないことを、良好な逆方向リンクがこれによって削除されようとしていないことを通信システムが確認し得る時まで保証する方法及び装置に対する必要性に対応するために、通信リンクを削除すると決定する前に、逆方向リンクがまだ良好であるかどうか判断する通信システムを提供する。一実施形態において、通信システムは、逆方向リンクに関連した品質尺度、
及び逆方向リンクとソフトハンドオフモードにある１つ以上の他の逆方向リンクに関連した品質尺度（１つ以上）に基づき、逆方向リンクがまだ良好であるかどうか判断する。他の実施形態において、通信システムは、逆方向リンクに関連した品質尺度をしきい値と比較することによって、逆方向リンクがまだ良好であるかどうか判断する。更に、通信システムは、通信リンクを削除すべきかどうかの再判断をシステムのインフラに行わせることによって、ほとんど余裕のない通信リンクを維持する結果として受け入れ不可能なレベルに劣化するＭＳとの通信を防止する。
【０００９】
一般的に、本発明の実施形態は、無線通信システムにおいてソフトハンドオフを行うための方法を網羅する。本方法には、第１逆方向リンク及び第２逆方向リンクの各々を介して、移動局から複数のフレームを受信する段階と、第１逆方向リンクを介して受信された複数のフレームに基づき、第１逆方向リンク品質尺度を決定する段階と、第２逆方向リンクを介して受信された複数のフレームに基づき、第２逆方向リンク品質尺度を決定する段階と、が含まれる。更に、本方法には、第１逆方向リンクが含まれる通信リンクを削除せよという要求を受信する段階と、第１逆方向リンク品質尺度と第２逆方向リンク品質尺度を比較して比較値を生成する段階と、要求を受信する段階に応答して、比較値に基づき、通信リンクを削除すべきかどうか判断する段階と、が含まれる。
【００１０】
本発明の他の実施形態は、無線通信システムにおいてソフトハンドオフを行うための方法を網羅する。本方法には、逆方向リンクを介して、移動局から複数のフレームを受信する段階と、複数のフレームに基づき逆方向リンク品質尺度を決定する段階と、が含まれる。更に、本方法には、逆方向リンクが含まれる通信リンクを削除せよという要求を受信する段階と、逆方向リンク品質尺度としきい値を比較して比較値を生成する段階と、要求を受信する段階に応答して、比較値に基づき、通信リンクを削除すべきかどうか判断する段階と、が含まれる。
【００１１】
本発明の更に他の実施形態は、無線インフラにおいて、ソフトハンドオフを行うための装置を網羅する。本装置には、第１逆方向リンク及び第２逆方向リンクの各々を介して、移動局から複数のフレームを受信し、第１逆方向リンクを介して受信された複数のフレームに基づき、第１逆方向リンク品質尺度を決定し、第２逆方向リンクを介して受信された複数のフレームに基づき、第２逆方向リンク品質尺度を決定し、第１逆方向リンク品質尺度と第２逆方向リンク品質尺度を比較して比較値を生成するプロセッサが含まれる。更に、本プロセッサは、第１逆方向リンクが含まれる通信リンクを削除せよという要求を受信し、要求を受信する段階に応答して、比較値に基づき、通信リンクを削除すべきかどうか判断する。
【００１２】
本発明の更に他の実施形態は、無線インフラにおいて、ソフトハンドオフを行うための装置を網羅する。本装置には、１つ以上のメモリデバイスに接続されたプロセッサが含まれる。本プロセッサは、逆方向リンクを介して、移動局から複数のフレームを受信し、複数フレームの各フレームに関連した品質指数を１つ以上のメモリデバイスに記憶し、記憶された品質指数に基づき、逆方向リンク品質尺度を決定し、逆方向リンク品質尺度としきい値を比較して比較値を生成する。更に、プロセッサは、逆方向リンクが含まれる通信リンクを削除する要求を受信し、要求を受信する段階に応答して、比較値に基づき、通信リンクを削除すべきかどうか判断する。
【発明を実施するための最良の形態】
【００１３】
本発明について、図2乃至6を参照して、より詳細に説明する。図2は、本発明の実施形
態に基づくＣＤＭＡ無線通信システム200のブロック図である。通信システム１００と同
様に、通信システム200には、基地局コントローラ(ＢＳＣ)又は中央基地局コントローラ(CＢＳＣ)等のコントローラ210に各々接続された多数の送受信基地局(ＢＴＳ)206-208を含
む基地局サブシステム(ＢＳＳ)204が含まれる。ＢＳＳ204は、移動体交換センタ(ＭＳＣ)216に接続され、そして、ＭＳＣ216は、外部ネットワーク218に接続され、外部ネットワ
ーク、即ち、他のＢＳＳ（図示せず）とＢＳＳ204との間に通信リンクを提供する。ＢＳ
Ｓ204及びＭＳＣ216は、一括して通信システム200のインフラと呼称し得る。
【００１４】
コントローラ210、好適には、コントローラに含まれる選択・分配ユニット(ＳＤＵ)212には、１つ以上のマイクロプロセッサ、マイクロコントローラ、デジタル信号プロセッサ(DSP)、それらを組み合わせたもの又は当業者に知られている他のデバイス等のプロセッ
サ213が含まれる。更に、コントローラ210には、ランダム・アクセス・メモリ(RAM)、ダ
イナミック・ランダム・アクセス・メモリ(DRAM)、及び／又は読み出し専用メモリ(ROM)
又はプロセッサによって実行し得るデータ及びプログラムを記憶するそれらの等価物等、プロセッサ213に関連した１つ以上のメモリデバイス214が含まれる。
【００１５】
更に、通信システム200には、多数のＢＴＳ206、207の各ＢＴＳと同時に能動通信状態
にある移動局(ＭＳ)202が含まれる。即ち、ＭＳ202は、多数のＢＴＳ206、207との“ソフトハンドオフ”モードにあり、多数のＢＴＳ206、207の各ＢＴＳは、ＭＳ202の能動集合
の一員である。ＭＳ202の能動集合の一員として、多数のＢＴＳ206、207の各ＢＴＳは、
ＭＳとのそれぞれの無線通信リンク220、230を同時に維持する。各通信リンク220、230には、それぞれの順方向リンク222、232が含まれ、ＭＳ202に信号を伝え、また、それぞれ
の逆方向リンク224、234が含まれ、ＭＳから信号を受信する。
【００１６】
好適には、通信システム200は、符号分割多元接続(ＣＤＭＡ)通信システムであり、こ
こで、順方向リンク222、232、及び242及び逆方向リンク224、234、及び244には、各々、接続チャネル、制御チャネル、呼出しチャネル、及びトラフィックチャネル等、多数の通信チャネルが含まれる。逆方向リンク224、232、242又は順方向リンク224、234、244の各通信チャネルには、リンクの他のチャネルと同じ周波数帯域幅で送信し得るウォルシュ符号等の直交符号が含まれる。しかしながら、通信システム200は、これに限定するもので
はないが、移動体通信(GSM)通信システム用のグローバルシステム、時分割多元接続(TDMA)通信システム、周波数分割多元接続(FDMA)通信システム、又は直交周波数分割多元接続(OFDM)通信システム等、任意の無線電気通信システムに基づき動作し得ることを当業者は
認識されたい。
【００１７】
通信システム200がソフトハンドオフモードで動作している場合、ＭＳ202によって送信された第１の複数フレームは、それぞれの逆方向リンク224、234を介して、ＭＳの能動集合における多数のＢＴＳ206、207の各ＢＴＳによって受信される。そして、多数のＢＴＳ206、207の各ＢＴＳは、コントローラ210に対して、ＢＴＳによって受信された複数のフ
レームを転送し、更に、受信した複数のフレームの品質を示す１つ以上の品質指数を転送する。
【００１８】
各ＢＴＳ206、207によって転送された１つ以上の品質指数は、フレーム毎に決定し得る又は複数のフレームに関して決定し得るフレーム品質尺度に基づく。例えば、フレーム品質尺度は、複数のフレームに関して決定されるフレーム誤り率(FER)であってよく、ある
いは、ビット誤り率(BER)、信号対雑音比(SNR)、信号強度、キャリア対干渉比(CIR)、又
は、複数フレームの１つ以上に関して決定されるEb/Io比(ビット/干渉パワー密度当たり
のエネルギ(１ヘルツ当たり))に基づいてもよい。当業者は、多くの品質尺度が公知であ
り、また、本発明の精神及び範囲から逸脱することなく、本明細書において用い得ることを認識されたい。
【００１９】
そして、品質指数は、フレーム品質尺度を含んでよく、また、フレーム品質尺度を表す指数であってよい。例えば、ＢＴＳは、各フレームに関して及びフレーム品質尺度に基づ
き、受信フレームが、許容可能か又は誤っているかどうか判断し得る。ＢＴＳは、フレームのヘッダに品質指数を埋め込むが、この品質指数は、フレームが、許容可能であるか、即ち、良いか、又は、誤っているか、即ち、消去されるかどうか示す。そして、ＢＴＳは、フレーム及び埋め込んだ品質指数をコントローラ210に転送する。
【００２０】
コントローラ210が、複数のフレーム及び関連する１つ以上の品質指数を多数のＢＴＳ206、207の各々から受信すると、コントローラは、複数のフレームを供給するＢＴＳに関
連して、及び／又は複数のフレームの受信を介する逆方向リンク又は通信リンクに関連して、１つ以上の品質指数を１つ以上のメモリデバイス214に記憶する。多数のＢＴＳ206、207の各々から同じフレームを受信すると、次に、コントローラ210は、各ＢＴＳから受信された同じフレームの中から１つのフレームを選択し、選択されたフレームをＭＳＣ216
に転送する。本明細書において特に指定しない場合、本明細書においてコントローラ210
によって実行される全ての機能は、好適には、ＳＤＵ212によって、特に、プロセッサ213によって実行される。
【００２１】
ＭＳ202が通信システム200内を移動するにつれて、ＭＳは、ＢＴＳ208等、ＭＳの能動
集合にないＢＴＳに関連した有効範囲領域、即ち、セクタに向かい、また、ＢＴＳ206等
、能動集合にあるＢＴＳに関連した有効範囲領域、即ち、セクタから離れ得る。ＭＳ202
がＢＴＳ208側へ移動するにつれて、ＢＴＳ208に関連した順方向リンク242を介してＭＳ202によって受信されたパイロット信号の信号強度は、ＭＳ202がＢＴＳ208からのパイロット信号を存立可能な通信リンクとして識別するまで増大する。更に、ＭＳ１０２がＢＴＳ206から離れるにつれて、順方向リンク222を介してＢＴＳ206からＭＳ202によって受信されたパイロット信号の信号強度は、通信リンク220がもはや存立可能な通信リンクではな
いとＭＳ202が判断する点まで劣化する。その点では、通信システム200は、ＢＴＳ208及
び通信リンク240を付加し(即ち、ＭＳ202の能動集合に対して)、また、ＢＴＳ206及び通
信リンク220を削除する(即ち、ＭＳ202の能動集合から)ことによって、ソフトハンドオフを実行すべきかどうか判断する。
【００２２】
図3は、本発明の実施形態に基づく、ソフトハンドオフを実行すべきかどうか判断する
際に通信システム200によって実行されるステップの論理流れ図300である。論理流れ図300は、ＭＳ202が通信システム１００に移ると始まり、通信システムは、通信システムがＭＳの能動集合にＢＴＳ208を付加し、順方向リンク242及び逆方向リンク244が含まれＢＴ
Ｓ208に関連する通信リンク240を能動通信リンクとして確立し、ＭＳ１０２との間でデータを送受信せよという要求をＭＳから受信する。更に、ＭＳ202は、通信システム１００
に移り、通信システムは、通信システムが、ＭＳ202の能動集合における多数のＢＴＳ206、207の第１ＢＴＳ、即ち、ＢＴＳ206を削除し、そして、第１ＢＴＳに関連した第１通信リンク、即ち、通信リンク220を終了、即ち、削除せよという要求をＭＳから受信(302)する。好適には、ＢＴＳ206及び／又は通信リンク220を削除せよという要求は、ＢＴＳ及び／又は通信リンクを削除せよという要求が埋め込まれたパイロット強度測定メッセージ(PSMM)を用いて、ＭＳ202によって伝達される。
【００２３】
ソフトハンドオフの一部として、通信リンク220が終了されない、即ち、削除されない
ことを、通信システム200が良好な逆方向リンク224も削除しようとしていないことを通信システムが確認し得る時まで保証するために、通信システム200は、まず、逆方向リンク
が良好なリンクであるかどうかの判断を、対応する通信リンクを削除すべきかどうか判断する前に行う。本発明の一実施形態において、逆方向リンク224が良好なリンクかどうか
判断するために、コントローラ210は、第１逆方向リンク、即ち、逆方向リンク224の第１逆方向リンク品質尺度を決定する(304)が、この第１逆方向リンクは、削除対象下にある
ＢＴＳ206及び通信リンク220に関連する。更に、コントローラ210は、第２逆方向リンク
の第２逆方向リンク品質尺度を決定する(306)が、この第２逆方向リンクは、逆方向リン
ク234等、ＭＳ202の能動集合における多数のＢＴＳ206、207における他のＢＴＳに関連する。
【００２４】
そして、コントローラ210は、第１逆方向リンク品質尺度と第２逆方向リンク品質尺度
を比較(308)して比較値を生成する。この比較値に基づき、また、削除要求に応答して、
コントローラ210は、第１逆方向リンク、即ち、逆方向リンク224、並びに、関連する第１通信リンク、即ち、通信リンク220を削除すべきかどうか、また、関連する第１ＢＴＳ、
即ち、ＢＴＳ206をＭＳ202の能動集合から削除すべきかどうか判断する(310)。そして、
論理流れ図300は、終了する。
【００２５】
コントローラ210は、第１逆方向リンク、即ち、逆方向リンク224を介してＭＳ202から
受信された複数のフレームに基づき、特に、第１逆方向リンクを介して受信された複数のフレームに関連した第１の１つ以上の品質指数に基づき、第１逆方向リンク品質尺度を決定する。コントローラ210は、第２逆方向リンク、即ち、逆方向リンク234を介してＭＳ202から受信された複数のフレームに基づき、特に、第２リンクを介して受信された複数の
フレームに関連した第２の１つ以上の品質指数に基づき、第２逆方向リンク品質尺度を決定する。
【００２６】
例えば、本発明の一実施形態において、第１及び第２逆方向リンク品質尺度の各々を決定する際、コントローラ210は、１つ以上のメモリデバイス214から、対応する逆方向リンクを介して受信され、更に、削除要求の受信に先立ち受信された所定数のフレームに関して記憶された１つ以上の品質指数を取り出す。好適には、コントローラは、120の直前の
フレームに関連した品質指数を取り出す。しかしながら、用いられるフレームの数は、本発明にとって重要ではなく、システム200の設計者次第であることを当業者は認識された
い。本発明の他の実施形態において、コントローラ210は、削除要求に先立つ所定の期間
の間に逆方向リンクを介して受信されたフレームに関して記憶された１つ以上の品質指数を取り出し得る。所定数のフレーム又は所定の期間は、１つ以上のメモリデバイス214に
維持し得る。
【００２７】
第１及び第２の１つ以上の品質指数の各々に、受信フレームが良好なフレームであるか又は消去フレームであるかどうかの指標が含まれる場合、コントローラ210は、それぞれ
の第１及び第２の１つ以上の品質指数に基づき、消去フレーム数量を決定することによって、第１及び第２逆方向リンク品質尺度の各々を決定し得る。例えば、ステップ304にお
いて、コントローラ210は、第１逆方向リンク、即ち、逆方向リンク224を介して受信された第１消去フレーム数量を決定することによって、第１逆方向リンク品質尺度を決定し得る。同様に、ステップ306において、コントローラ210は、第２逆方向リンク、即ち、逆方向リンク234を介して受信された第２消去フレーム数量を決定することによって、第２逆
方向リンク品質尺度を決定し得る。他の例として、ステップ304において、コントローラ210は、第１逆方向リンク、即ち、逆方向リンク224を介して受信された良好な第１フレー
ム数量を決定することによって、第１逆方向リンク品質尺度を決定し得る。同様に、ステップ306において、コントローラ210は、第２逆方向リンク、即ち、逆方向リンク234を介
して受信された良好な第２数量フレームを決定することによって、第２逆方向リンク品質尺度を決定し得る。
【００２８】
第１逆方向リンク品質尺度及び第２逆方向リンク品質尺度が、それぞれ第１フレーム数量及び第２フレーム数量を含む場合、ステップ308は、第１数量と第２数量を比較して比
較値を生成する段階を含み得る。そして、その結果得られた比較値は、第１逆方向リンク、即ち、逆方向リンク224に対応する第１数量と、第２逆方向リンク、即ち、逆方向リン
ク234に対応する第２数量との間の差異を含み得る。そして、通信リンク220及び／又はＢＴＳ206を削除すべきかどうか判断するステップ、即ち、ステップ310は、次のステップを
含み得る。決定された差異が、１つ以上のメモリデバイス214に記憶された差異しきい値
を超える場合、コントローラ210は、第１逆方向リンク、即ち、逆方向リンク224が、もはや良好なリンクではないと判断する。そして、コントローラ210は、削除要求の承諾、即
ち、通信リンク220の削除及びＭＳ202の能動集合からのＢＴＳ206の削除を決定する。決
定された差異が差異しきい値を超過しない場合、コントローラ210は、第１逆方向リンク
、即ち、逆方向リンク224が、まだ良好なリンクであると判断し、更に、削除要求の無視
、即ち、逆方向リンク224、通信リンク220及びＢＴＳ206を削除しないと決定する。
【００２９】
通信システム200は、ＭＳ202の能動集合に２つだけのＢＴＳを含むものとして示すが、当業者は、本明細書において説明される本発明の原理は、より規模の大きい能動集合に容易に適用し得ることを認識されたい。例えば、2つを超える逆方向リンクが、能動集合に
おけるＢＴＳに関連する場合、コントローラ210は、第１逆方向リンク品質尺度、即ち、
削除対象下にある逆方向リンクに関して決定された逆方向リンク品質尺度と、能動集合におけるＢＴＳに関連した他の逆方向リンクに関して決定された最適逆方向リンク品質尺度と、を比較し得る。他の例として、2つを超える逆方向リンクが、能動集合におけるＢＴ
Ｓに関連する場合、コントローラ210は、第１逆方向リンク品質尺度と、他の逆方向リン
クに関して決定された逆方向リンク品質尺度の平均値と、を比較し得る。当業者は、本発明の精神及び範囲から逸脱することなく本明細書において用い得る他のアルゴリズムを本明細書において用いて、削除対象下にある逆方向リンクに関して決定された逆方向リンク品質尺度と、能動集合における１つ以上の他の逆方向リンクのＢＴＳに関して決定された逆方向リンク品質尺度とを比較し得ることを認識されたい。
【００３０】
削除対象の通信リンク220又はＢＴＳ206に関連した逆方向リンク224がまだ良好である
かどうか判断することによって、通信システム200は、強い逆方向リンクとの通信リンク
が、弱い順方向リンクに基づく削除要求に応答して削除されないことを保証する。その結果、通信リンク220の逆方向リンク224等、削除された通信リンクの逆方向リンクが、ソフトハンドオフにおいて多数の逆方向リンクの唯一の良好な逆方向リンクである場合に通話を削除する可能性は、最小限に抑えられる。良好な逆方向リンクの削除を回避するために、コントローラ210は、削除対象の通信リンク220の逆方向リンク224に関連した品質尺度
と、逆方向リンク224とソフトハンドオフモードにある、即ち、ＢＴＳ206と同じＭＳ202
の能動集合における他のＢＴＳ207に関連した１つ以上の他の逆方向リンク234に関連した品質尺度（１つ以上）とを比較する。
【００３１】
逆方向リンク品質尺度の比較値に基づき、コントローラ210は、逆方向リンク224が、まだ良好なリンクであるかどうか、又は、逆方向リンク224がＭＳに関連した全ての逆方向
リンク224、234の中で最適リンクではないかどうか判断し、これによって、削除対象の通信リンク220及び／又はＢＴＳ206を削除すべきかどうか判断することが可能である。
【００３２】
通信システム200が、第１逆方向リンク品質尺度と第２逆方向リンク品質尺度との比較
値に基づき、第１通信リンク220及び／又は第１ＢＴＳ206を削除しないと決定する場合、コントローラ210は、第１ＢＴＳ206及び関連する通信リンク220を継続的に削除候補とし
て見なし、他の削除決定を開始し得る。図4は、本発明の様々な実施形態に基づく、まず
通信リンク220及び／又は第１ＢＴＳ206を削除しないと決定した後、そのリンク又はＢＴＳを削除すべきかどうかの後続の判断を行う際、通信システム200によって実施されるス
テップの論理流れ図400である。論理流れ図400が始まると、コントローラ210は、第１通
信リンク、即ち、通信リンク220、及び／又は、第１ＢＴＳ、即ち、ＢＴＳ206を削除しないと決定する(402)。通信リンク及び／又はＢＴＳを削除しないという決定に続き、ＭＳ202の能動集合における多数のＢＴＳ206、207の各ＢＴＳは、ＭＳから第２の複数フレームを受信し、受信された第２の複数フレームを、転送された第２の複数フレームに関連した１つ以上の品質指数と共にコントローラ210に転送する。
【００３３】
第２の複数フレーム及び関連する１つ以上の品質指数をＢＴＳ206及び207の各々から受信すると(404)、コントローラ210は、対応するＢＴＳ、逆方向リンク、又は通信リンクに関連して受信された各品質指数を１つ以上のメモリデバイス214に記憶する(406)。ＭＳ202から削除要求を受信せずに第１時間期間が満了すると、コントローラ210は、第１逆方向リンクを介して受信された第２の複数フレームに基づき、また、好適には、第１逆方向リンクを介して受信された第２の複数フレームに関して記憶された１つ以上の品質指数に基づき、第１逆方向リンク、即ち、逆方向リンク224の第３逆方向リンク品質尺度を決定す
る(408)。更に、コントローラ210は、第２逆方向リンクを介して受信された第２の複数フレームに基づき、また、好適には、第２逆方向リンクを介して受信された第２の複数フレームに関して記憶された１つ以上の品質指数に基づき、第２逆方向リンク、即ち、逆方向リンク234の第４逆方向リンク品質尺度を決定する(410)。
【００３４】
そして、コントローラ210は、第３逆方向リンク品質尺度を第４逆方向リンク品質尺度
と比較して、第２比較値を生成する(412)。第２比較値に基づき、コントローラ210は、第１通信リンク、即ち、通信リンク220を終了する又は削除すべきかどうか、及び／又は、
ＭＳ202の能動集合から第１ＢＴＳ、即ち、ＢＴＳ206を削除すべきかどうか判断する(414)。そして、論理流れ図400は、終了する。
【００３５】
上述したように、本発明の幾つかの実施形態において、逆方向リンク品質尺度は、許容可能な状態で受信されたフレームの数量又は誤って受信されたフレームの数量等、決定された量を含み得る。第３逆方向リンク品質尺度が第３数量を含み、また、第４逆方向リンク品質尺度が第４数量を含む場合、ステップ412は、第３数量と第４数量を比較し、数量
差異を生成する段階を含み得る。そして、このような場合、ステップ414は、数量差異と
差異しきい値との比較値に基づき、通信リンク220及び／又はＢＴＳ206を削除すべきかどうか判断する段階を含み得る。
【００３６】
図4に示す本発明の他の実施形態において、コントローラ210が、後続の削除要求を受信せずに通信リンク220及び／又はＢＴＳ206を削除すべきかどうかの後続の判断を行う代わりに、削除しないと決定した後、通信リンク220及びＢＴＳ206を継続的に削除候補と見なす場合、コントローラ210は、第２時間期間の満了時、削除/非削除メッセージを伝えるようにＭＳ202に指示し得る(416)。削除/非削除メッセージは、通信リンク220及び／又はＢＴＳ206を削除するか又は削除しないかというＭＳのいずれかの要望を示す。好適には、
コントローラ210は、ＭＳ202にパイロット測定要求命令を伝えることによって、削除/非
削除メッセージを送るようにＭＳに指示する。
【００３７】
この指示を受信すると、ＭＳ202は、コントローラ210に移り、コントローラ210は、通
信リンク220及び／又はＢＴＳ206を削除するか又は削除しないかという要望を示す削除/
非削除メッセージをＭＳから受信する(418)。好適には、削除/非削除メッセージには、通信リンク及び／又はＢＴＳを削除するか又は削除しないかの指標をＭＳが埋め込んだPSMMメッセージが含まれる。削除/非削除メッセージが、通信リンク220及び／又はＢＴＳ206
を削除する要望を示す場合、コントローラ210は、第１逆方向リンク224の第３逆方向リンク品質尺度を決定し、更に、第２逆方向リンク234の第４逆方向リンク品質尺度を決定(420)するが、これら尺度の決定については、ステップ408及び410に関して詳細に上述している。そして、論理流れ図400は、ステップ412に進み、ここで、コントローラ210は、第３
逆方向リンク品質尺度と第４逆方向リンク品質尺度を比較して、比較値を生成し、また、この比較値に基づき、通信リンク220及び／又はＢＴＳ206を削除すべきかどうか判断する(414)。そして、論理流れ図400は、終了する。
【００３８】
通信リンク220及び／又はＢＴＳ206を削除すべきかどうかの再判断をコントローラ210
に行わせることによって、通信システム200は、ほとんど余裕のない可能性のある通信リ
ンク220を維持し、その結果、これによってＭＳとの通信が受け入れ不可能なレベルに劣
化することに関連したリスクを最小限に抑える事前対応型のインフラを提供する。通信リンク220及び／又はＢＴＳ206を削除せよという要求を受信し、また、削除要求に応答して、通信リンク又はＢＴＳを削除しないと決定した後、通信システム200、特に、コントロ
ーラ210は、他の削除要求を受信せずにそれ自体で、又は、削除/非削除メッセージを送るようにＭＳ202に指示することのいずれかによって、通信リンク又はＢＴＳを削除すべき
かどうか再判断し得る。通信リンク220及び／又はＢＴＳ206を削除すべきかどうか再判断する段階において、コントローラ210は、削除しないという決定に続き、逆方向リンク224を介してＭＳ202から受信されたフレームに基づき、関連する逆方向リンク224が、まだ良好なリンクであるかどうか判断する。
【００３９】
本発明の他の実施形態において、ソフトハンドオフを実行すべきかどうかの判断は、削除対象下にある通信リンク220又はＢＴＳ206に関連した唯１つの逆方向リンク、即ち、逆方向リンク224に関して逆方向リンク品質尺度の決定を関与させることによって、簡素化
し得る。図5は、このような本発明の実施形態に基づく、ソフトハンドオフを実行すべき
かどうかを判断する際に通信システム200によって実行されるステップの論理流れ図500である。論理流れ図500が始まると、通信システム200は、通信システムが、能動集合からＢＴＳ206を削除し、及び／又は、通信リンク220及び関連する逆方向リンク224を終了せよ
、即ち、削除せよという要求をＭＳ202から受信する(502)。そして、コントローラ210は
、削除対象の逆方向リンク、即ち、逆方向リンク224に関して第１逆方向リンク品質尺度
を決定する(504)。コントローラ210は、第１逆方向リンク品質尺度と、１つ以上のメモリデバイス214に記憶された品質尺度しきい値とを比較して、第１比較値を生成する(506)。そして、第１比較値に基づき、コントローラ210は、通信リンク220及び／又はＢＴＳ206
を削除すべきかどうか判断する(508)。そして、論理流れ500は、終了する。
【００４０】
論理流れ図300に関して上述したように、コントローラ210は、削除要求の受信に先立ち逆方向リンク224を介して受信された所定数のフレームに関して記憶された、又は、削除
要求に先立つ所定の期間の間に逆方向リンクを介して受信されたフレームに関して記憶された１つ以上の品質指数に基づき、第１逆方向リンク品質尺度を決定し得る。記憶された１つ以上の品質指数が、フレームが良好なフレームであるか又は消去フレームであるかの指標を含む場合、ステップ504は、逆方向リンク224を介して受信された消去フレームの数量又は良好なフレームの数量等、記憶された品質指数に基づき、フレームの数量を決定することによって、コントローラ210により第１逆方向リンク品質尺度を決定する段階を含
み得る。そして、ステップ506は、決定されたフレーム数量と、１つ以上のメモリデバイ
ス214に記憶されたしきい値とをコントローラ210により比較し、第１比較値を生成する段階を含み得る。
【００４１】
そして、ステップ508は、次のステップを含み得る。第１比較値に基づき、フレームの
数量がしきい値と比較して劣る場合、コントローラ210は、逆方向リンク、即ち、逆方向
リンク224が、もはや良好なリンクではないと判断し、更に、通信リンク220及び／又はＢＴＳ206を削除すべきであると決定し得る。しかしながら、フレームの数量がしきい値と
比較して遜色がない場合、コントローラ210は、逆方向リンク、即ち、逆方向リンク224が引き続き良好なリンクであると判断し、更に、通信リンク220及び／又はＢＴＳ206を削除しないと決定し得る。
【００４２】
例えば、コントローラ210が、ステップ504において、逆方向リンク224を介して受信さ
れた消去フレームの数量を決定し、また、更に、ステップ506において、決定された消去
フレームの数量が、消去フレームしきい値を超えると判断する場合、コントローラ210は
、逆方向リンク224が、もはや良好なリンクではないと判断し得る。しかしながら、決定
された消去フレームの数量が、消去フレームしきい値を超過しないならば、コントローラ210は、逆方向リンク224が引き続き良好なリンクであると判断し得る。他の例として、コントローラ210が、ステップ504において、逆方向リンク224を介して受信された良好なフ
レームの数量を決定し、また、更に、ステップ506において、決定された良好なフレーム
の数量が、良好なフレームしきい値を超えると判断する場合、コントローラ210は、逆方
向リンク224が引き続き良好なリンクであると判断し得る。しかしながら、決定された良
好なフレームの数量が、良好なフレームしきい値を超過しないならば、コントローラ210
は、逆方向リンク224が、もはや良好なリンクではないと判断し得る。
【００４３】
本発明の更に他の実施形態では、ステップ510において、通信リンク220及び／又はＢＴＳ206を削除しないと決定すると、コントローラ210は、通信リンク220及びＢＴＳ206を継続的に削除候補と見なし、他の削除決定を開始し得る。図6は、本発明の他の様々な実施
形態に基づく、通信システムによるハンドオフの性能の論理流れ図600である。論理流れ
図600が始まると、コントローラ210は、通信リンク220及び／又はＢＴＳ206を削除しないと決定する(602)。削除しないという決定に続き、削除対象下にあるＢＴＳ、即ち、ＢＴ
Ｓ206は、削除対象下にある逆方向リンク、即ち、逆方向リンク224を介して、ＭＳから第２の複数フレームを受信し、１つ以上の関連する品質指数と共に、受信された第２の複数フレームをコントローラ210に転送する。
【００４４】
ＢＴＳ206から第２の複数フレーム及び関連する１つ以上の品質指数を受信すると(604)、コントローラ210は、対応するＢＴＳ、逆方向リンク、又は通信リンクに関連して、受
信された１つ以上の品質指数を１つ以上のメモリデバイス214に記憶する(606)。第３時間期間が、ＭＳ202から削除要求を受信せずに満了すると、コントローラ210は、逆方向リンクを介して受信された第２の複数フレームに基づき、また、好適には、逆方向リンクを介して受信された第２の複数フレームに関して記憶された１つ以上の品質指数に基づき、逆方向リンク224の第２逆方向リンク品質尺度を決定する(608)。そして、コントローラ210
は、第２逆方向リンク品質尺度と品質尺度しきい値を比較して、第２比較値を生成する(610)。第２比較値に基づき、コントローラ210は、通信リンク220及び／又はＢＴＳ206を削除すべきかどうか判断する(612)。そして、論理流れ図600は、終了する。
【００４５】
図6に示す本発明の他の実施形態において、コントローラ210は、後続の削除要求を受信せずに逆方向リンク、即ち、逆方向リンク224を削除すべきかどうかの後続の判断を行う
代わりに、削除しないと決定した後、通信リンク220及びＢＴＳ206を継続的に削除候補と見なす場合、コントローラ210は、第４時間期間の満了時、削除/非削除メッセージを伝えるようにＭＳ202に指示し得る(614)。削除/非削除メッセージは、通信リンク220及び／又はＢＴＳ206を削除するか又は削除しないかというＭＳのいずれかの要望を示す。好適に
は、コントローラ210は、ＭＳ202にパイロット測定要求命令を伝えることによって、削除/非削除メッセージを送るようにＭＳに指示する。
【００４６】
コントローラ210は、本明細書において、タイマ215を参照基準とする第１、第２、第３、及び第４時間期間の各時間期間を決定する。第１、第２、第３、及び第４時間期間は、各々、所定の期間でよく、あるいは、アルゴリズムに基づき動的に決定し得る。これら時間期間又はアルゴリズムは、１つ以上のメモリデバイス214に記憶し得る。
【００４７】
指示を受信すると、ＭＳ202は、コントローラ210に移り、コントローラ210は、通信リ
ンク220及び／又はＢＴＳ206を削除するか又は削除しないかという要望を示す削除/非削
除メッセージをＭＳから受信する(616)。好適には、削除/非削除メッセージには、通信リンク及び／又はＢＴＳを削除する又は削除しないかどうかの指標をＭＳが埋め込んだPSMMメッセージが含まれる。削除/非削除メッセージが、通信リンク220及び／又はＢＴＳ206
を削除すべきという要望を示す場合、コントローラ210は、第１逆方向リンク224の第２逆
方向リンク品質尺度を決定する(618)が、この尺度の決定については、ステップ608に関して詳細に上述している。そして、論理流れ図600は、ステップ610に進み、ここで、コントローラ210は、第２逆方向リンク品質尺度と品質尺度しきい値を比較して、第２比較値を
生成し、また、第２比較値に基づき、通信リンク220及び／又はＢＴＳ206を削除すべきかどうか判断する(612)。そして、論理流れ図600は、終了する。
【００４８】
要約すると、ＭＳ202等のＭＳは、通常、通信リンク及びＢＴＳに関連した順方向リン
ク222の性能に基づき、通信リンク220等の通信リンク及び／又はＢＴＳ206等のＢＴＳを
削除すべきかどうか判断する。弱い順方向リンクであるが強い逆方向リンクを有する通信リンクの削除を回避するために、通信リンクの削除を決定する前に、通信システム200は
、削除対象の通信リンク220又はＢＴＳ206に関連した逆方向リンク224が、まだ良好であ
るかどうか判断する。本発明の一実施形態において、通信システム200は、逆方向リンク
に関連した品質尺度を決定し、また、決定された逆方向リンク品質尺度と、逆方向リンク224とソフトハンドオフモードにある、即ち、ＢＴＳ206と同じＭＳ202の能動集合におけ
る他のＢＴＳ207に関連する１つ以上の他の逆方向リンク234に関連した品質尺度（１つ以上）と、を比較することによって、逆方向リンク224が、まだ良好であるかどうか判断す
る。本発明の他の実施形態において、通信システム200は、逆方向リンクに関連した品質
尺度を決定し、また、決定された逆方向リンク品質尺度としきい値を比較することによって、逆方向リンク224がまだ良好であるかどうか判断する。この比較値に基づき、コント
ローラ210は、逆方向リンク224がまだ良好なリンクであるかどうか、又は、逆方向リンク224が、ＭＳに関連した全ての逆方向リンク224、234の中で最適リンクであるかどうかさ
え判断し、これによって、削除対象の通信リンク220及び／又はＢＴＳ206を削除すべきかどうか判断することが可能である。
【００４９】
更に、通信システム200は、通信リンク220及び／又はＢＴＳ206を削除すべきかどうか
の再判断をコントローラ210に行わせ、これによって、ほとんど余裕のない可能性のある
通信リンク220を維持する結果として受け入れ不可能なレベルに劣化するＭＳとの通信を
防止する。削除要求に応答して、通信リンク又はＢＴＳを削除しないと決定した後、通信システム200は、他の削除要求を受信せずにそれ自体で、あるいは、削除/非削除メッセージを送るようにＭＳ202に指示することによって、通信リンク又はＢＴＳを削除すべきか
どうか再判断し得る。通信リンク220及び／又はＢＴＳ206を削除すべきかどうか再判断する際、コントローラ210は、削除しないという決定に続き逆方向リンク224を介してＭＳ202から受信されたフレームに基づき、関連する逆方向リンク224がまだ良好なリンクであるかどうか判断する。
【００５０】
本発明について、その特定の実施形態を参照して、特に例示し説明したが、上記請求項に記載された本発明の範囲から逸脱することなく、様々な変更を行い得ること、また、等価なものをその要素に置き換え得ることを当業者は理解されるであろう。従って、明細書及び図は、限定的であるよりもむしろ例示であると見なすものとし、全てのこのような変更や置き換えは、本発明の範囲内に含むものとする。
【００５１】
恩恵、他の利点、及び問題に対する解決策について、特定の実施形態に関して上述した。しかしながら、恩恵、利点、問題に対する解決策、及び何らかの恩恵、利点、又は解決策を生じるもしくはより顕著にするあらゆる要素（１つ以上）は、全ての請求項の決定的な、必要な、もしくは不可欠な特徴又は要素と解釈してはならない。本明細書において用いる用語“含む”、“含んでいる”又は他のあらゆるその派生語は、非排他的な包括を網羅し、したがって要素の一覧を含むプロセス、方法、物品、又は装置は、それらの要素だけを含むのではなく、明確に一覧化されていない他の要素又はこのようなプロセス、方法、物品、もしくは装置に固有な他の要素も含むことを意図する。更に、関係を示す用語の用途は、もしあれば、第１及び第２、上及び下等は、１つのエンティティ又はアクション
を他のエンティティ又はアクションから識別するためだけに用いるものであり、必ずしも、このようなエンティティ又はアクション間において、実際のこのような如何なる関係又は順番をも要求したり暗示したりするものではないことを理解されたい。
【図面の簡単な説明】
【００５２】
【図１】従来技術の無線通信システムのブロック図。
【図２】本発明の実施形態に基づく無線通信システムのブロック図。
【図３】本発明の実施形態に基づく図２の通信システムによるソフトハンドオフの性能の論理流れ図。
【図４】本発明の様々な実施形態に基づく図２の通信システムによるソフトハンドオフの性能の論理流れ図。
【図５】本発明の他の実施形態に基づく図２の通信システムによるソフトハンドオフの性能の論理流れ図。
【図６】本発明の様々な実施形態に基づく図２の通信システムによるソフトハンドオフの性能の論理流れ図。
【図１】
0004845727.tif 000002
【図２】
0004845727.tif 000003
【図３】
0004845727.tif 000004
【図４】
0004845727.tif 000005
【図５】
0004845727.tif 000006
【図６】
0004845727.tif 000007